(57)【特許請求の範囲】
【請求項１】
第一方向と、前記第一方向に交差する第二方向とのうち第二方向に沿って互いに平行に延びる複数の導線が配置された第二方向平行帯が前記第一方向の第一方向間隙を挟んで前記第一方向に繰り返し形成され、かつ前記第一方向に沿って延びて前記第二方向平行帯に交差する導線が配置された第一方向交差帯が前記第二方向に繰り返し形成された第一電極と、
前記第一方向に沿って互いに平行に延びる複数の導線が配置された第一方向平行帯が前記第二方向の第二方向間隙を挟んで前記第二方向に繰り返し形成され、かつ前記第二方向に沿って延びて前記第一方向平行帯に交差する導線が配置された第二方向交差帯が前記第一方向に繰り返し形成された第二電極と、を備え、
前記第一電極において前記第一方向間隙には導線が配置されておらず、かつ前記第二電極において前記第二方向間隙には導線が配置されておらず、
前記第一方向間隙の位置に前記第二方向交差帯が対応し、前記第二方向間隙の位置に前記第一方向交差帯が対応するように、前記第一電極と前記第二電極とが互いに重ねられることを特徴とするタッチパネル。
【請求項２】
請求項１に記載のタッチパネルであって、
前記第一電極及び前記第二電極を透視したとき、
前記第一方向平行帯及び前記第一方向交差帯のそれぞれに含まれる各導線は、互いに一定間隔で並び、
前記第二方向平行帯及び前記第二方向交差帯のそれぞれに含まれる各導線は、互いに一定間隔で並び、
前記第一方向平行帯、前記第二方向平行帯、前記第一方向交差帯、及び前記第二方向交差帯により、均一な格子模様が形成されることを特徴とするタッチパネル。
【請求項３】
請求項１又は２に記載のタッチパネルであって、
前記第一方向平行帯を構成する導線及び前記第二方向平行帯を構成する導線のそれぞれの数は３本以上であり、
前記第一方向交差帯を構成する導線及び前記第二方向交差帯を構成する導線のそれぞれの数は１本以上１０本以下であって、前記第一方向平行帯を構成する導線及び前記第二方向平行帯を構成する導線のそれぞれの数よりも少ないことを特徴とするタッチパネル。
【請求項４】
請求項１から３のいずれか一項に記載のタッチパネルであって、
前記第一方向平行帯及び前記第二方向平行帯のそれぞれに含まれる複数の前記導線は、前記第一方向交差帯及び前記第二方向交差帯のそれぞれのピッチよりも小さいピッチで密に配置されることを特徴とするタッチパネル。
【請求項５】
請求項４に記載のタッチパネルであって、
前記第一方向平行帯及び前記第二方向平行帯のそれぞれに含まれる複数の前記導線のピッチは、１５０μｍ以上、４００μｍ以下であり、
前記第一方向交差帯及び前記第二方向交差帯のそれぞれのピッチは、２０００μｍ以上、１００００μｍ以下であることを特徴とするタッチパネル。
【請求項６】
請求項１から５のいずれか一項に記載のタッチパネルであって、
前記第一電極の前記第一方向交差帯は、前記第二電極にそれぞれ形成された前記第一方向平行帯及び前記第二方向間隙の合計の幅と等しいピッチで配列され、
前記第二電極の前記第二方向交差帯は、前記第一電極にそれぞれ形成された前記第二方向平行帯及び前記第一方向間隙の合計の幅と等しいピッチで配列されることを特徴とするタッチパネル。
【請求項７】
請求項１から６のいずれか一項に記載のタッチパネルであって、
前記第一方向平行帯及び前記第二方向平行帯をそれぞれ構成する導線の幅は、２μｍ以上、１０μｍ以下であり、
前記第一方向平行帯及び前記第二方向平行帯のそれぞれにおける前記導線のピッチは、２５０μｍ以上、３５０μｍ以下であることを特徴とするタッチパネル。
【請求項８】
請求項１から７のいずれか一項に記載のタッチパネルであって、
前記第一電極は、当該第一電極上に想定した閉図形の端縁線に交差する前記各導線の部分が選択的に断線されることによって区画された電極片が配列された第一電極列を有し、
前記第二電極は、当該第二電極上に想定した閉図形の端縁線に交差する前記各導線の一部が選択的に断線されることによって区画された電極片が前記第一電極列の配列方向と交差する方向に配列された第二電極列を有し、
前記第一電極列及び前記第二電極列は、互いに交差するそれぞれの一定方向に繰り返し配置され、
前記第一電極と前記第二電極とを透視したときに、前記各電極片が互いに重ならない状態に配列されることを特徴とするタッチパネル。
【請求項９】
請求項８に記載のタッチパネルであって、
前記第一電極に含まれる複数の前記導線のパターンと、前記第二電極に含まれる複数の前記導線のパターンとは、互いに鏡像の関係にあることを特徴とするタッチパネル。
【請求項１０】
請求項８又は９に記載のタッチパネルであって、
前記第一電極列の前記各電極片は、前記第一方向交差帯上の二箇所の前記第一方向間隙の位置を通る閉図形の端縁線に交差する前記第二方向平行帯の部分が断線されることによって前記閉図形の内部に形成されるとともに、前記第一方向交差帯の導線により互いに導通された状態で前記第一方向に配列され、
前記第二電極列の前記各電極片は、前記第二方向交差帯上の二箇所の前記第二方向間隙の位置を通る閉図形の端縁線に交差する前記第一方向平行帯の部分が断線されることによって前記閉図形の内部に形成されるとともに、前記第二方向交差帯の導線により互いに導通された状態で前記第二方向に配列されることを特徴とするタッチパネル。
【請求項１１】
請求項８又は９に記載のタッチパネルであって、
前記第一電極列の前記各電極片は、前記第一電極上の一点とこの一点から前記第一方向及び前記第二方向の両方に交差する第三方向に離間する前記第一電極上の他の点とを通る閉図形の端縁線に交差する前記第一方向交差帯の部分、及び前記閉図形の端縁線に交差する前記第二方向平行帯における前記一点及び前記他の点のそれぞれの近傍の非断線部を除いた部分が断線されることによって前記閉図形の内部に形成されるとともに、前記非断線部を介して互いに導通された状態で配列され、
前記第二電極列の前記各電極片は、前記第二電極上の一点とこの一点から前記第一方向、前記第二方向、及び前記第三方向のいずれにも交差する第四方向に離間する前記第二電極上の他の点とを通る閉図形の端縁線に交差する前記第二方向交差帯の部分、及び前記閉図形の端縁線に交差する前記第一方向平行帯における前記一点及び前記他の点のそれぞれの近傍の非断線部を除いた部分が断線されることによって前記閉図形の内部に形成されるとともに、前記非断線部を介して互いに導通された状態で配列されることを特徴とするタッチパネル。
【請求項１２】
請求項１から１１のいずれか一項に記載のタッチパネルであって、
前記第一方向に沿って延びる導線及び前記第二方向に沿って延びる導線はそれぞれ、当該タッチパネルに積層されるディスプレイが有する画素の配列方向に対して傾斜することを特徴とするタッチパネル。
【請求項１３】
請求項１から１１のいずれか一項に記載のタッチパネルであって、
当該タッチパネルに積層されるディスプレイが有する画素の配列方向に対して、前記第一方向は平行又は直交に、前記第二方向は直交又は平行に、それぞれ設定されることを特徴とするタッチパネル。
【請求項１４】
請求項８から１３のいずれか一項に記載のタッチパネルであって、
前記閉図形の端縁線に交差し断線された前記各導線の部分の集合である断線部において前記端縁線に交差する方向の断線寸法、及び前記端縁線に交差する方向の断線位置の少なくとも一方は、前記端縁線に沿った方向においてランダムに変化することを特徴とするタッチパネル。
【請求項１５】
請求項１１から１４のいずれか一項に記載のタッチパネルであって、
前記電極片の区画に際して断線されない導線の部分を含んで構成される非断線部は、２本以上の導線により形成されることを特徴とするタッチパネル。
【請求項１６】
請求項８から１５のいずれか一項に記載のタッチパネルであって、
前記閉図形は、多角形であることを特徴とするタッチパネル。
【請求項１７】
請求項１から１６のいずれか一項に記載のタッチパネルと、
前記タッチパネルが積層されるディスプレイとを備える画像表示装置。
【発明の詳細な説明】
【技術分野】
【０００１】
本発明は、タッチパネル（タッチスクリーン）に関する。特に、異なる２層にそれぞれ、細線パターンによる電極列が形成されたマルチタッチ可能な静電容量方式、あるいは抵抗膜方式のタッチパネルに関する。
【背景技術】
【０００２】
タッチパネルには、ドットスペーサーを介在させて対向配置した２つの導電膜（電極層）間のタッチ位置での導通を検知するアナログ抵抗膜方式が多く用いられてきたが（例えば、特許文献１）、近年、静電容量の変化を利用して指先のタッチ位置を検出する静電容量方式のタッチパネルの開発が進められている。静電容量方式のタッチパネルには、表面型と投影型とがある。表面型は、１シート状の電極を有する。電極材料には以前からＩＴＯなどの透明導電膜が用いられてきたが、ＩＴＯの抵抗値が高いため、応答性の観点から、大画面化が難しい。このため、金、銀、銅などの金属細線を電極に用いる技術の開発が進められている（特許文献２）。ところで、表面型タッチパネルは、例えば、指と導電膜との間の静電容量の変化に応じた導電膜のアナログ電流変化量をシート四隅の電極で検出する構成とされるので、同時に２点以上の接触（マルチタッチ）を検出することが難しい。
一方、投影型タッチパネルは、配列方向が第一方向である第一電極列と、配列方向が第一方向と直交する第二方向である第二電極列とが誘電層を介在して直交配置された格子状の電極を有する（特許文献３）。この投影型では、タッチ時の容量結合に起因する第一電極列と第二電極列との間の静電容量の変化を電圧変化として検出して座標点を特定することにより、複数のタッチ位置を検出可能である。
【先行技術文献】
【特許文献】
【０００３】
【特許文献１】特許第３８２５４８７号公報
【特許文献２】国際公開第２００９／１０８７５８号
【特許文献３】国際公開第２０１０／０１３６７９号
【発明の概要】
【発明が解決しようとする課題】
【０００４】
近年、マルチタッチ及び大画面化に対する要望が高まっている。これらの要望に対しては、２つの電極層を有する投影型を採用し、金属細線を用いて電極を形成することが好ましいが、二方向の電極列が互いに直交するように重ねられる構造上、金属細線の製造と、電極列を重ね合わせる際の位置決め等には注意を要する。すなわち、金属細線により電極を形成する場合、例えば、一定間隔で互いに平行に延びる多数の平行線と、これに交差する交差線とによって電極列が形成されるが、重ね合わせの際の僅かな誤差や、金属細線の形状誤差等により、一方の電極列の金属細線と他方の電極列の金属細線との配置関係が乱れる可能性がある。このとき、金属細線同士が互いに近接してその部分が太く見えてしまうこと（線太り）や、光干渉による干渉縞（モアレ）が生じ易い。近年、携帯電子機器などにも解像度の高いディスプレイが搭載されることが多くなってきたが、このようなディスプレイの高精細な画像上の互いに近接する点と点とを判別可能な感度を得るため、金属細線の間隔を狭くした場合には、線太りや干渉縞が特に起こり易い。このような線太り及び干渉縞の生じた部分が視認されてしまうことにより、ディスプレイの表示品位が低下するおそれがあるため、パターン形成及び重ね合わせに対して非常に高精度が要求され、歩留まり低下及びコストアップに繋がってしまう。
なお、抵抗膜方式においても、２つの電極層をそれぞれ金属細線で形成することが考えられる。この場合２つの電極層を重ね合わせる際に線太りやモアレが生じ易いことは投影型静電容量方式の場合と同様であるため、抵抗膜方式においても上記と同様の課題がある。
【０００５】
本発明の目的は、金属細線などの細線を用いて容易に製造可能な投影型静電方式タッチパネルを提供することにある。
【課題を解決するための手段】
【０００６】
第一方向と、前記第一方向に交差する第二方向とのうち第二方向に沿って互いに平行に延びる複数の導線が配置された第二方向平行帯が前記第一方向の第一方向間隙を挟んで前記第一方向に繰り返し形成され、かつ前記第一方向に沿って延びて前記第二方向平行帯に交差する導線が配置された第一方向交差帯が前記第二方向に繰り返し形成された第一電極と、
前記第一方向に沿って互いに平行に延びる複数の導線が配置された第一方向平行帯が前記第二方向の第二方向間隙を挟んで前記第二方向に繰り返し形成され、かつ前記第二方向に沿って延びて前記第一方向平行帯に交差する導線が配置された第二方向交差帯が前記第一方向に繰り返し形成された第二電極と、を備え、
前記第一電極において前記第一方向間隙には導線が配置されておらず、かつ前記第二電極において前記第二方向間隙には導線が配置されておらず、
前記第一方向間隙の位置に前記第二方向交差帯が対応し、前記第二方向間隙の位置に前記第一方向交差帯が対応するように、前記第一電極と前記第二電極とが互いに重ねられることを特徴とするタッチパネル。
【発明の効果】
【０００７】
本発明のタッチパネルによれば、第一電極と第二電極とを重ね合わせる際の誤差や、導線の形状誤差に対する許容度が大きく、重ね合わせが少々ずれていたり導線の形状にバラツキがあったとしても格子形状に違和感を感じない新規な導線パターンが得られる。すなわち、金属細線などの細線を用いて容易に製造可能な静電容量方式や抵抗膜方式の静電容量方式タッチパネルを提供することができる。
【図面の簡単な説明】
【０００８】
【図１】本発明の実施形態を説明するための例である静電容量方式タッチパネルの断面図である。
【図２】第一電極列が形成されていない状態の上部電極の部分拡大平面図である。
【図３】第二電極列が形成されていない状態の下部電極の部分拡大平面図である。
【図４】第一電極列が形成された状態の上部電極の部分拡大平面図である。
【図５】断線部を実線で示した上部電極の部分拡大平面図である。
【図６】第二電極列が形成された状態の下電極の部分拡大平面図である。
【図７】断線部を破線で示した下部電極の部分拡大平面図である。
【図８】重ね合わせられた上部電極と下部電極との透視図である。
【図９】タッチパネル及びディスプレイの概略構成を示す平面図である。
【図１０】上述した例の変形例についての上部電極の要部拡大平面図である。
【図１１】下部電極の要部拡大平面図である。
【図１２】重ね合わせられた上部電極と下部電極との透視図である。
【図１３】前述した例の他の変形例についての上部電極の要部拡大平面図である。
【図１４】重ね合わせられた上部電極と下部電極との透視図である。
【図１５】本発明の実施形態を説明するための他の例に関し、第一電極列が形成されていない状態の上部電極の部分拡大平面図である。
【図１６】第二電極列が形成されていない状態の下部電極の部分拡大平面図である。
【図１７】第一電極列が形成された状態の上部電極の部分拡大平面図である。
【図１８】断線部を実線で示した上部電極の部分拡大平面図である。
【図１９】第二電極列が形成された状態の下電極の部分拡大平面図である。
【図２０】断線部を破線で示した下部電極の部分拡大平面図である。
【図２１】重ね合わせられた上部電極と下部電極との透視図である。
【図２２】タッチパネル及びディスプレイの概略構成を示す平面図である。
【図２３】本発明の実施形態を説明するための他の例に関し、第一電極列が形成されていない状態の上部電極の部分拡大平面図である。
【図２４】第二電極列が形成されていない状態の下部電極の部分拡大平面図である。
【図２５】第一電極列が形成された状態の上部電極の部分拡大平面図である。
【図２６】断線部を実線で示した上部電極の部分拡大平面図である。
【図２７】第二電極列が形成された状態の下電極の部分拡大平面図である。
【図２８】断線部を破線で示した下部電極の部分拡大平面図である。
【図２９】重ね合わせられた上部電極と下部電極とを透視した際の平面図である。
【図３０】タッチパネル及びディスプレイの概略構成を示す平面図である。
【図３１】本発明の実施形態を説明するための他の例である抵抗膜方式タッチパネルの断面図である。
【図３２】上部電極を模式的に示す平面図である。
【図３３】下部電極を模式的に示す平面図である。
【図３４】重ね合わせられた上部電極と下部電極との透視図である。
【図３５】導線パターンの形成方法の一例である。
【図３６】導線パターンの形成方法の他の一例である。
【発明を実施するための形態】
【０００９】
図１〜図９を参照して、本発明の実施形態を説明するための静電容量方式タッチパネルの例について説明する。なお、以下の説明において、既に説明した構成と同様の構成については、同一符号を付し、その説明を省略する。
本明細書において「〜」は、その前後に記載される数値を下限値及び上限値として含む意味で使用される。
【００１０】
図１（Ａ）〜（Ｃ）はそれぞれ、本発明の投影型静電容量方式タッチパネルの一例の断面図を模式的に示す。タッチパネル１〜３はいずれも、複数の層の積層体であり、指先によってタッチされる側に配置される第一電極としての上部電極２０と、この上部電極２０に重ねられて、画像表示装置としてのディスプレイ９（図９）側に配置される第二電極としての下部電極４０とを備える。図１（Ａ）〜（Ｃ）のそれぞれの構成では、積層体における上部電極２０及び下部電極４０の配置位置が相違する。なお、タッチパネル１〜３はディスプレイに一体に形成されていてもよい。
【００１１】
図１（Ａ）では、上部電極２０が形成された上部透明基板１１と、下部電極４０が形成された下部透明基板１２とが、透明な誘電層１３を介して電極形成面を向かい合わせに重ねられた状態で貼り合わせられている。上部透明基板１２には、ガラス製又は樹脂製の透明カバー部材１５が粘着層１４を介して設けられる。
図１（Ｂ）では、1枚の透明基板１１の表面に、下部電極４０が形成され、その上に、誘電層１３を介して上部電極２０が形成されている。
図１（Ｃ）では、誘電層としての１枚の透明基板１１の表裏両面にそれぞれ、上部電極２０と下部電極４０とが形成されている。
なお、図１（Ａ）〜（Ｃ）には図示していないが、タッチパネル１〜３のディスプレイ９との対向面に、ディスプレイからの電磁波を遮蔽するシールド層が設けられていてもよい。
【００１２】
上記のタッチパネル１〜３に関し、透明カバー部材１５、透明基板１１、透明基板１２、及びシールド層には、絶縁性の同じ材料を用いてもよいし、絶縁性のそれぞれ別々の材料を用いてもよく、プラスチックフィルム、プラスチック板、ガラス板等が使用されて形成される。これらの部材、板、層の厚みはそれぞれの用途に応じて適宜決められる。
【００１３】
上記プラスチックフィルム及びプラスチック板の材料としては、例えば、ポリエチレンテレフタレート（ＰＥＴ）、ポリエチレンナフタレート（ＰＥＮ）等のポリエステル類；ポリエチレン（ＰＥ）、ポリプロピレン（ＰＰ）、ポリスチレン、ＥＶＡ等のポリオレフィン類；ビニル系樹脂；その他、ポリカーボネート（ＰＣ）、ポリアミド、ポリイミド、アクリル樹脂、トリアセチルセルロース（ＴＡＣ）等が用いられる。
【００１４】
上記プラスチックフィルム及びプラスチック板の好ましい材料としては、ＰＥＴ（融点：２５８℃）、ＰＥＮ（融点：２６９℃）、ＰＥ（融点：１３５℃）、ＰＰ（融点：１６３℃）、ポリスチレン（融点：２３０℃）、ポリ塩化ビニル（融点：１８０℃）、ポリ塩化ビニリデン（融点：２１２℃）やＴＡＣ（融点：２９０℃）等の融点が約２９０℃以下であるプラスチックフィルム、又はプラスチック板などがあり、特に、光透過性や加工性等の観点から、ＰＥＴが好ましい。フィルムや板の厚みは５０μｍから３００μｍであることが好ましい。
【００１５】
誘電層１３は、その全体が粘着性を有する材料により非導電性の粘着層として形成されるか、あるいは誘電性の基板と、この基板の表裏にそれぞれ設けられる粘着層とを含んで構成される。このような誘電層１３に含まれる粘着層と、透明カバー部材１５に設けられる粘着層１４とには、非導電性の接着剤などを用いることができる。接着剤の材料としては、アクリル樹脂系、エポキシ樹脂系、フェノール樹脂系、ビニル樹脂系などを例示できる。これらの粘着層は、例えば、スクリーン印刷法などによって形成される。
【００１６】
図２は、上部電極２０の部分拡大平面図である。図２の状態では、上部電極２０が有する第一電極列が形成されていない。ここで、図２〜図８は、導線パターンの構成を模式的に示しており、特に導線の幅を導線間のピッチに対して太く強調して示すものである。後述する種々の電極の部分拡大平面図についても同様である。複数の導線のそれぞれの幅、間隔、断線長さなどは、適宜決められる。
上部電極２０が形成される透明基板には、多数の導線（金属細線とも言う）が形成されている。具体的に、透明基板には、第一方向Ｄ１と、これに交差する（ここでは略直交し、直交はしていない）第二方向Ｄ２とのうち第二方向Ｄ２に沿って平行に延びる複数の導線２２０を含む第二方向平行帯２２と、第二方向平行帯２２に交差する導線２１０を含む第一方向交差帯２１とが形成されている。
【００１７】
第二方向平行帯２２は、導線２２０が等間隔に配置された帯状の領域であり、第一方向間隙Ｓ１を介して第一方向に間をおいて、第一方向Ｄ１に繰り返し形成されている。図２に示した第一方向間隙Ｓ１は、導線２２０のピッチＰ１の２倍の寸法に設定されている。このような第二方向平行帯２２及び第一方向間隙Ｓ１の構成は、見方を変えれば、上部電極２０が形成される基板の導線パターン形成領域全体に多数の導線２２０が等間隔に形成された構成から、所々で導線２２０を間引いた構成ともいえる。
【００１８】
図２の構成では、第一方向交差帯２１が占める領域が１本の導線２１０の形成領域と同一である。ただし、第一方向交差帯に２本以上の導線が含まれていてもよく、この場合の第一方向平行帯は、これら導線を含む帯状の領域に形成される。２本以上の導線により第一方向交差帯が形成される場合には、一部の導線が焼損しても他の導線によって、後述する電極列の導通が確保されるので良い。第一方向交差帯２１の導線２１０は、第二方向Ｄ２に間をおいて、等しいピッチＰ２で繰り返し形成されている。ピッチＰ２はピッチＰ１よりも大きい。ピッチＰ１は、１００μｍ〜５００μｍが好ましく、より好ましくは１５０μｍ〜４００μｍ、更に好ましくは２５０μｍ〜３５０μｍである。
また、ピッチＰ２は、１０００μｍ〜２００００μｍが好ましく、より好ましくは２０００μｍ〜１００００μｍ、更に好ましくは３５００μｍ〜７０００μｍである。すなわち、上記の導線２２０が密に配置されているとすると、導線２１０はそれよりも疎の状態に配置されている。
【００１９】
図３は、下部電極４０の部分拡大平面図である。この図３の状態では、下部電極４０が有する第二電極列が形成されていない。この下部電極４０が有する導線は、上述した上部電極２０の導線とほぼ同様に配置される。但し、上部電極２０の導線パターンと、下部電極４０の導線パターンとのそれぞれの方向関係が逆になるように、上部電極２０と下部電極４０とが重ねられるため、重ねられたときの方向を用いて区別すれば、上部電極２０には複数の導線２２０を含む第二方向平行帯２２が形成されるのに対して、下部電極４０には複数の導線４１０を含む第一方向平行帯４１が形成されている。また、上部電極２０には導線２１０を含む第一方向交差帯２１が形成されるのに対して、下部電極４０には導線４２０を含む第二方向交差帯４２が形成される。
第一方向平行帯４１は、第二方向間隙Ｓ２を介して第二方向Ｄ２に間をおいて、第二方向Ｄ２に繰り返し形成されている。
ここで、上部電極２０の導線パターンと下部電極４０の導線パターンとは、図２及び図３の上下方向を綴じ方向としたときに互いに鏡像の関係にある。すなわち、紙面の上下方向に延びる中心線を設定したときに、その中心線に関して線対称に形成されている。
【００２０】
導線２１０，２２０，４１０，４２０としての金属細線の間隔（ピッチ）、線幅、厚さ、本数等の詳細な構成について述べる。
第一方向に延びる導線４１０（図３）のピッチと、第二方向に延びる導線２２０（図２）のピッチとは、上記のように同一のピッチＰ１でなくても、異なっていてもよい。但し、同一のピッチであることが好ましく、異なる場合でも導線４１０のピッチと導線２２０のピッチとの寸法比が２倍以内であることが好ましい。
また、金属細線の線幅は細いほど視認され難く、かつ干渉縞が生じにくい。このため、金属細線の線幅は２０μｍ以下であることが好ましく、１０μｍ以下であることがより好ましく、８μｍ以下であることが更に好ましく、６μｍ以下であることが特に好ましい。一方、線幅が細いほど加工が難しくコスト高となるため、金属細線の線幅は、１μｍ以上であることが好ましく、２μｍ以上であることがより好ましく、４μｍ以上であることが更に好ましい。
金属細線の厚さ（基板面からの高さ）は、薄い方が基板から剥離しにくいので好ましいが、薄過ぎて細線の断面積が小さくなると、電気抵抗が大きくなって接触検知に必要な静電容量変化量が不足するので応答性が悪くなる。従って、金属細線の厚さは５μｍ以下が好ましく、０．１μｍ〜５μｍがより好ましく、０．５μｍ〜３μｍが更に好ましい。
金属細線の剥離を防止するためには、金属細線の厚さに対する線幅の比率（線幅／厚さ）を２．５以上にするのが好ましく、４以上にするのが更に好ましい。
また、第一方向平行帯４１を構成する導線４１０及び第二方向平行帯２２を構成する導線２２０のそれぞれの数は３本以上（１１本）であり、第一方向交差帯２１を構成する導線２１０及び第二方向交差帯４２を構成する導線４２０のそれぞれの数は１本以上１０本以下（１本）であって、第一方向平行帯４１を構成する導線４１０及び第二方向平行帯２２を構成する導線２２０のそれぞれの数（１１本）よりも少ない。
なお、金属細線の材料及び製造方法については後述する。
【００２１】
図４は、第一電極列３０が形成された状態の上部電極２０の部分拡大平面図である。
第一電極列３０は、第一方向Ｄ１に配列された四角形（閉図形）の複数の電極片３１を有する。各電極片３１は、上部電極２０上に想定した四角形Ｆ１の辺（端縁線）に交差する各導線パターン２１０，２２０の一部が選択的に断線されることによって形成されている。具体的に、四角形Ｆ１の辺に交差する導線２１０，２２０のうち、導線２２０は断線され、導線２１０は断線されない。四角形Ｆ１における一方の対角の頂点はそれぞれ、導線２１０上において隣り合う二箇所の第一方向間隙Ｓ１の位置を通る。複数の導線２２０が断線されることにより、四角形Ｆ１の内部に、複数の導線２２０が導線２１０によって互いに導通された一纏まりの領域としての電極片３１が区画されるとともに、各電極片３１が導線２１０によって導通した第一電極列３０が形成される。第一電極列３０は、各導線２１０毎に形成され、第二方向Ｄ２に繰り返し配置される。
なお、導線の断線部は、実際の寸法よりも大きく強調して図示されている。他の図においても同様である。
【００２２】
このように複数の導線２２０が断線されることにより、第一電極列３０が形成されるとともに、第一電極列３０と第一電極列３０との間に、すなわち四角形Ｆ１の外側に、他の導線とは導通しておらず電気的に孤立した複数の導線片が形成される。これら一群の導線片をダミー電極３５と総称する。すなわち、図４に示した上部電極２０の導線パターン形成領域（図４にはその一部を図示）は、断線により、第一電極列３０とダミー電極３５とに区画される。なお、ダミー電極３５は、回路の基準電位（ＧＮＤ）に接地されていてもよい。ダミー電極３５の形成により、電極列間の寄生容量が低下するので、隣り合う電極列同士が高周波駆動時に短絡することが防止される。
【００２３】
以下では、断線された導線のそれぞれの部分の集合のことを断線部ＣＬという。つまり、断線部ＣＬは、個々の導線における断線部分をたどった形状とされる。図５は、断線部ＣＬを太い実線で強調して示した上部電極２０の平面図である。ここで、断線部ＣＬは、導線の一部を除去することによって形成されていてもよいし、予め、同一線上で間隙をおいて導線パターンを形成する導線のパターニングにより形成されていてもよい。
【００２４】
断線部ＣＬの形状や寸法などの詳細な構成について述べる。断線部ＣＬのパターンは、同一形状でかつ同一面積とされた多角形の形状であることが好ましく、多角形の中でも正方形あるいは菱形が特に好ましい。
断線部ＣＬの幅（断線長さ）、すなわち断線により分断された結果形成された細線端部と細線端部との間の間隔（断線部ＣＬにおける四角形Ｆ１の端縁線に交差する方向の断線寸法）は、１０μｍ以上であることが好ましい。この断線部ＣＬの幅（断線長さ）の上限は特にないが、パターン設計を煩雑にしないためには、金属細線の間隔(ピッチ)長を上限に、断線部ＣＬの幅を決めることが好ましい。
【００２５】
図６は、第二電極列５０が形成された状態の下部電極４０の部分拡大平面図である。第二電極列５０は、第二方向Ｄ２に配列された四角形の複数の電極片５１を有する。各電極片５１は、配列方向以外は上述の電極片３１と同様に形成される。すなわち、四角形Ｆ１の辺に交差する導線４１０，４２０のうち導線４１０は断線され、導線４２０は断線されない。これにより、各電極片５１が導線４２０によって導通した第二電極列５０が形成される。図７は、断線部ＣＬを太い破線で強調して示した第二電極列５０の平面図である。
【００２６】
図８は、図４の上部電極２０と図６の下部電極４０とが重ねられた状態の透視平面図である。上部電極２０と下部電極４０とは、第一電極列３０における電極片３１の配列方向（第一方向Ｄ１）と、第二電極列５０における電極片５１の配列方向（第二方向Ｄ２）とが略直交するように、誘電層１３（図１）を介して重ねられる。このように上部電極２０と下部電極４０とが重ねられた際に、第一電極列３０が下部電極４０側のダミー電極３５に重なり、第二電極列５０が上部電極２０側のダミー電極３５に重なり、第一電極列３０と第二電極列５０とは互いに重ならない。すなわち、第一電極列３０の電極片３１、及び第二電極列５０の電極片５１は、互いに重ならない状態でぎっしりと第一方向Ｄ１及び第二方向Ｄ２に配列される。第一方向間隙Ｓ１と第二方向間隙Ｓ２との交点近傍には、４つの電極片３１，３１，５１，５１がそれぞれの角を突き合わせるようにして配置されている。
【００２７】
第一方向Ｄ１と第二方向Ｄ２との交差角度と、電極片３１，５１の形状とは相関しており、これらは適宜決められる。閉図形の形状とされる電極片は、菱形、正方形、矩形などの多角形、あるいは円形、楕円形などの形状であってよい。なお、閉図形は、1本以上の線により区画された閉じた空間をその内部に有する図形をいう。
【００２８】
ここで、上部電極２０と下部電極４０とが重ねられた状態では、上部電極２０の第一方向間隙Ｓ１の位置に第二方向交差帯４２（図３も参照）が配置され、下部電極４０の第二方向間隙Ｓ２の位置に第一方向交差帯２１（図２も参照）が配置される。すなわち、上部電極２０の第一方向交差帯２１は、下部電極４０にそれぞれ形成された第一方向平行帯４１及び第二方向間隙Ｓ２の合計の幅と等しいピッチで配列され、下部電極の第二方向交差帯４２は、第一電極２０にそれぞれ形成された第二方向平行帯２２及び第一方向間隙Ｓ１の合計の幅と等しいピッチで配列されている。
ここで、導線２２０，２２１，４１０，４２０により、これら導線の互いの交点以外には線の重なり（線太り）が生じていない完全な格子模様が形成される。
このように第一、第二方向交差帯２１，４２の位置にそれぞれ第二、第一方向間隙Ｓ２，Ｓ１が対応することにより、重ね合わせの際の誤差や導線パターン形状の誤差に対する許容度が高く、導線同士が重なったり、近接したりすることが少ないので、基板の導線パターン形成領域の全体に亘り、均一な格子模様が形成される。すなわち、第１電極２０及び第２電極４０を透視した際に、導線４１０（図３）及び導線２１０（図２）は、互いに一定のピッチＰ２で並び、導線２２０（図２）及び導線４２０（図３）も、互いに一定のピッチＰ１で並ぶ。このように、透明基板上の導線パターン形成領域における導線の面内分布が均一化されるため、導線パターンが規則性のあるムラとして感知されることを防止できる。
なお、ダミー電極３５は、導線パターンの面内分布の均一化による表示品位の向上と、高周波駆動時の短絡防止との両方に寄与する。このようなダミー電極３５が、隣り合う電極列同士を隔てるため、断線部ＣＬに関しては、高周波駆動時の短絡を考慮しないで、短い断線長さに決めることができる。断線部ＣＬの幅（断線長さ）は、前述したように１０μｍ以上が好適とされていて、現実的には導線間のピッチに対して僅かな寸法に決められるので、断線部ＣＬが目視されることは少ない。部分拡大図である図８では断線部ＣＬが見えたとしても、実際の縮尺では目視されない。
【００２９】
図９は、タッチパネル１（タッチパネル２，３であってもよい）と、このタッチパネルに積層されるディスプレイ９との概略構成を模式的に示す平面図である。これらのタッチパネル１とディスプレイ９とを備えて画像表示装置が構成されている。
ディスプレイ９は、多数の画素電極がＸ方向及びＹ方向に配列される矩形状の画像表示部９１と、画素電極に導通する不図示の配線が引き出された額縁部９２とを有する。ここで、タッチパネル１の導線パターン形成領域１８に配置された導線２１０，２２０，４１０，４２０の延出方向である第一方向Ｄ１及び第二方向Ｄ２はそれぞれ、画像表示部９１の四辺に対して略４５度の傾斜角度を成している。すなわち、第一電極列３０における電極片３１の配列方向（第一方向Ｄ１）及び、第二電極列５０における電極片５１の配列方向（第二方向Ｄ２）はそれぞれ、画像表示部９１の四辺の方向つまりは画素電極のＸ方向への配列方向及び画素電極のＹ方向への配列方向のいずれに対しても、略４５度の傾斜角度を成している。
【００３０】
このように、画素電極の配列方向に対して導線２１０，２２０，４１０，４２０の延出方向が傾斜することにより、タッチパネル１の導線とディスプレイ９の画素電極との光干渉から生じる干渉縞の発生を抑制できる。ここで、画素電極の形状によっては、４５度の前後で、例えば３０度〜６０度の範囲で傾斜角度を増減させて、干渉縞の発生が最も少ない傾斜角度に決めればよい。
【００３１】
以上のように、第一方向Ｄ１及び第二方向Ｄ２が画像表示部９１のＸ方向及びＹ方向に対して傾斜するため、タッチ点を示す位置座標の座標軸が画素電極の配列方向に対して傾斜する。ただし、プロセッサーによる演算処理あるいはコンピュータのソフトウエア処理などを利用することにより、第一、第二電極列３０，５０の交差位置をＸＹ座標での位置に変換して、タッチパネル１の座標をディスプレイ９の座標に一致させる座標補正を容易に行うことができる。
【００３２】
図１０〜図１２は、以上説明した例の変形例を示す。図１０は、上部電極２０の要部拡大平面図である。図１１は、下部電極４０の要部拡大平面図である。下部電極４０が形成される透明基板には、上部電極２０における断線部ＣＬ（図１０）に対応する多数の補助細線２５（図１１）が形成されている。補助細線２５は、ダミー電極３５を構成する導線片と導通している。なお、図示を省略するが、上部電極２０が形成される透明基板にも、下部電極４０における断線部ＣＬに対応する多数の補助細線２５が形成されている。これらの補助細線２５が断線部ＣＬを埋めるため、図１２に示す上部電極２０と下部電極４０との透視状態では、導線パターンによる格子模様が、多数の連続した細線により構成されているように見える。
前述したように、導線間のピッチに比較して断線部ＣＬの幅は僅かな寸法であるため、補助細線２５が形成されていなくても、導線パターンによる完全な格子模様が視認されるが、このように補助細線２５が形成されることで、完全な格子形状がより確実に得られ、断線部ＣＬがより視認され難くなるので好ましい。
【００３３】
図１３及び図１４は、図１〜図９を参照して説明した例の他の変形例を示す。上述した断線部ＣＬの幅は視認されにくい微小幅、例えば５０μｍ以下に設定されるが、この場合でも、電極部分と非導電部分との光透過率の違い、反射率の違い、光沢を含む固有色の違い等により規則性のあるムラとして、断線部ＣＬが感知されうる。本例は、この問題を解決し得る。
図１３に示した上部電極２０において、電極片を区画する断線部ＣＬは、長さ方向においてその幅（断線寸法）及びその断線位置がランダムに変化するように形成されている。断線部ＣＬの幅は、各導線の断線端部をたどる線をスムージングした線を用いて把握される。ここで、断線部ＣＬを構成する個々の導線は、断線部ＣＬの長手方向に沿った基準線（不図示）に対してほぼ千鳥状となる位置で、かつ断線長さを変えて断線されている。なお、導線は、規則的な千鳥状、つまり基準線の両側に交互に振れる位置で断線されていてもよいが、規則性がわかりにくいように複雑な順序で、あるいは不規則に振れる位置で断線されているほうが、断線部が視認されにくいので好ましい。また、基準線は特に設定されていなくてもよく、例えば、断線部を形成可能な領域の最大の幅寸法が設定され、この最大幅の範囲内のランダムな位置がランダムな幅で断線されていてもよい。
図示を省略するが、下部電極４０においても、断線部ＣＬの幅及び断線位置が断線部ＣＬの長さ方向においてランダムに変化するように構成されている。
【００３４】
図１４は、上部電極２０と下部電極４０とを重ね合わせた状態の透視図である。断線部ＣＬの幅及び断線位置がランダムとされることにより、図１３に示した上部電極６０単体でも、断線部ＣＬが視認されにくいが、図１４のような透視状態では、その視認されにくい効果を大きくできる。すなわち、前述の図８のように断線部ＣＬがランダムでない直線状に形成されている場合には、透視状態で並走する上下２層の断線部ＣＬのラインについて視認される虞がないとは言えないが、断線部ＣＬの幅及び断線位置がランダムとされていることによって断線部ＣＬの存在を目立ちにくくできる。
【００３５】
なお、図１３、図１４のように断線部ＣＬの幅及び断線位置の両方がランダムでなくても、いずれか一方がランダムであることにより、断線部ＣＬを目立たせない効果が得られるが、両方がランダムとされることにより、その効果を大きくできる。また、図１３及び図１４に示した断線部ＣＬの幅及び断線位置は一例に過ぎず、断線部ＣＬのランダムな構成は、断線部ＣＬが規則性のあるムラとして視認されないように、断線部ＣＬの近接する部分同士が同じランダムさとならないように決められるのが好ましい。例えば、透視状態で隣り合う電極片同士の断線長さ及び断線位置のランダムさが同一とならないように決められるのが好ましい。
更に、上部電極２０と下部電極４０とを重ねた際に規則性が発生しないように、上部電極側の断線部ＣＬにおける断線長さ及び断線位置と、下部電極側の断線部ＣＬにおける断線長さ及び断線位置とが決められるのが好ましい。
【００３６】
次に、図１５〜図２２を参照して、本発明の実施形態を説明するためのタッチパネルの他の例について説明する。本例では、前述した例とは異なる導線パターンを提示する。
図１５は、電極が形成されていない状態の上部電極１２０の部分拡大平面図である。上部電極１２０が形成される透明基板には、紙面の縦方向である第一方向Ｄ１３と、この第一方向Ｄ１３に直交し、紙面の横方向である第二方向Ｄ２３とのうち第二方向Ｄ２３に沿って平行に延びる複数の導線２２０（横線）と、これらの導線２２０に直交して第一方向Ｄ１３に沿って延びる複数の導線２１０（縦線）とが形成されている。導線の数や、導線の交差角度、導線同士の間隔などが前述した上部電極２０とは異なるが、本例においても、前述した例とほぼ同様に、複数の導線２２０を含む第二方向平行帯２２が第一方向間隙Ｓ１を挟んで繰り返し形成されている。また、導線２１０を含む第一方向交差帯１２１も、前述した第一方向交差帯２１とほぼ同様に形成されている。但し、本例の第一方向交差帯１２１は、２本の導線２１０を含んで形成されている。
【００３７】
ここで、第二方向平行帯２２の構成については、等間隔に形成された多数の導線２２０から、所々で導線２２０を間引いた構成であることを既に述べたが、第一方向交差帯１２１についてもこれと同様に、等間隔に形成された多数の導線２１０から、所々で導線２１０を間引いた構成であると言える。隣り合う第一方向交差帯１２１と第一方向交差帯１２１との間では、６本の導線２１０が欠落している（間引かれている）。この導線２１０の欠落部分は、導線２２０で構成された第二方向平行帯２２でいうところの、間隙（第一方向間隙Ｓ１）に相当する。このことは、図１〜図９を参照して説明した前述例の導線２１０に関しても適用可能であり、前述例（図２参照）における隣り合う第一方向交差帯２１と第一方向交差帯２１との間にも、１本以上の導線２１０が間引かれて形成された間隙が存在すると見ることができる。すなわち、多数の導線から間引くことは導線２１０，２２０に共通する構成である。
【００３８】
図１６は、電極列が形成されていない状態の下部電極１４０の部分拡大平面図である。電極列が形成されていない状態では、下部電極１４０の導線パターンと、図１５の上部電極１２０の導線パターンとは同一であるが、上部電極１２０及び下部電極１４０が重ねられる際のそれぞれの向きが９０度相違するため、図１６は図１５に対して９０度回転させた状態に示される。
このため、上部電極１２０には第二方向Ｄ２３に延びる第二方向平行帯２２が形成されるのに対して、下部電極１４０には第一方向Ｄ１３に延びる第一方向平行帯４１が形成されている。また、上部電極１２０には第一方向Ｄ１３に延びる第一方向交差帯１２１が形成されるのに対して、下部電極１４０には第二方向Ｄ２３に延びる第二方向交差帯１４２が形成されている。
【００３９】
図１７は、第一電極列１３０が形成された状態の上部電極１２０の部分拡大平面図である。図１８は、断線部ＣＬを太い実線で示した上部電極１２０の平面図である。
第一電極列１３０は、第一方向Ｄ１３に配列された四角形の複数の電極片１３１を有する。各電極片１３１は、上部電極１２０上に想定した菱形Ｆ３の辺（端縁線）に交差する各導線パターン２１０，２２０の一部が選択的に断線されることによって形成されている。具体的に、菱形Ｆ３の辺と導線２２０との交点が断線され、菱形Ｆ３の辺と導線２１０との交点は断線されない。つまり、電極片１３１の区画に際して断線されない導線２１０から構成される非断線部ＮＣは、２本の導線２１０により形成されている。菱形Ｆ３における一方の対角の頂点はそれぞれ、第一方向交差帯１２１上において隣り合う二箇所の第一方向間隙Ｓ１の位置を通る。複数の導線２２０が断線されることにより、菱形Ｆ３の内部に電極片１３１が区画されるとともに、各電極片１３１が非断線の２本の導線２１０によって導通した第一電極列１３０が形成される。第一電極列１３０は、第一方向交差帯１２１毎に形成され、第二方向Ｄ２３に繰り返し配置される。
なお、隣り合う第一電極列１３０，１３０の間には、他の導線とは導通しておらず電気的に孤立したダミー電極１３５が形成されている。
【００４０】
図１９は、第二電極列１５０が形成された状態の下部電極１４０の部分拡大平面図である。図２０は、断線部ＣＬを太い破線で示した下部電極１４０の平面図である。
第二電極列１５０は、第二方向Ｄ２３に配列された四角形の複数の電極片１５１を有する。各電極片１５１は、配列方向以外は上述の電極片１３１と同様に形成される。すなわち、菱形Ｆ３の辺に交差する導線４１０，４２０のうち導線４１０は断線され、導線４２０は断線されない。これにより、各電極片１５１が２本の導線４２０によって導通した第二電極列１５０が形成される。
【００４１】
図２１は、図１７の上部電極１２０と図１９の下部電極１４０とが重ねられた状態の透視平面図である。上部電極１２０と下部電極１４０とは、第一電極列１３０における電極片１３１の配列方向（第一方向Ｄ１３）と、第二電極列１５０における電極片１５１の配列方向（第二方向Ｄ２３）とが略直交するように、誘電層１３（図１）を介して重ねられる。このように上部電極１２０と下部電極１４０とが重ねられると、上部電極１２０の第一方向間隙Ｓ１の位置に下部電極１４０の第二方向交差帯１４２（図１９）が配置され、下部電極１４０の第二方向間隙Ｓ２の位置に上部電極１２０の第一方向交差帯１２１（図１７）が配置される。そして、第一電極列１３０と第二電極列１５０とは互いに重ならず、これら電極列１３０，１５０がそれぞれ有する電極片３１及び電極片５１は、互いに重ならない状態でぎっしりと第一方向Ｄ１３及び第二方向Ｄ２３に配列される。第一方向間隙Ｓ１と第二方向間隙Ｓ２との交点近傍には、４つの電極片１３１，１３１，１５１，１５１がそれぞれの角を突き合わせるようにして配置されている。
本例においても、導線２１０，２２０，４１０，及び４２０の互いの交点以外には線の重なりが生じていない完全な格子模様が形成される。
【００４２】
図２２は、上記の上部電極１２０及び下部電極１４０を備えるタッチパネル１００及びディスプレイ９の概略構成を示す平面図である。ディスプレイ９の画像表示部９１のＸ方向に対して、導線２１０，４１０の延出方向と同じ第一方向Ｄ１３は平行であり、導線２２０，４２０の延出方向と同じ第二方向Ｄ２３は直交する。また、画像表示部９１のＹ方向に対して、導線２１０，４１０の延出方向と同じ第一方向Ｄ１３は平行であり、導線２２０，４２０の延出方向と同じ第二方向Ｄ２３は直交する。この構成から、タッチパネル１００座標の座標軸と、ディスプレイ１座標のＸＹ座標軸とが一致するので、座標補正処理を必要とすることなく、タッチ点の位置算出を容易に行える。この構成においては、細線のピッチをディスプレイ９の遮光部であるブラックマトリックスの整数倍にし、細線をブラックマトリックスに重ねるようにすることが好ましい。これにより、モアレの発生を防ぐことができるとともに、タッチパネル１００及びディスプレイ９を透視した際の光透過率の低下（ディスプレイ画面の明るさの低下）も防ぐことができる。なお、モアレの強度を弱くするため、各導線の線幅を十分に小さくすることが好ましい。
【００４３】
次に、図２３〜図３０を参照して、本発明の実施形態を説明するためのタッチパネルの他の例について説明する。本例では、前述した例とは異なる導線パターンを提示する。
図２３は、電極が形成されていない状態の上部電極６０の部分拡大平面図である。上部電極６０が形成される透明基板には、前述の上部電極２０（図２）とほぼ同様に、第一方向Ｄ１２と、これに交差する第二方向Ｄ２２とのうち第二方向Ｄ２２に沿って平行に延びる複数の導線２２０と、これらの導線２２０に交差して第一方向Ｄ１２に沿って延びる複数の導線２１０とが形成されている。導線の数や、導線の交差角度、導線同士の間隔などが前述した上部電極２０とは異なるが、本例においても、複数の導線２２０を含む第二方向平行帯２２と、導線２１０により構成される第一方向交差帯２１とが前述の例とほぼ同様に形成されている。
【００４４】
図２４は、電極列が形成されていない状態の下部電極８０の部分拡大平面図である。下部電極８０が形成される透明基板には、図２３の上部電極６０の導線パターンとは鏡像の関係となる導線パターンが形成される。上部電極６０の導線パターンと下部電極８０の導線パターンとは、図２３、図２４の上下方向を綴じ方向としたときに互いに鏡像の関係にある。すなわち、紙面の上下方向に延びる中心線を設定したときに、その中心線に関して線対称に形成されている。
上部電極６０と下部電極８０とは、導線パターンを相互に９０度付近の角度で回転させた状態で重ねられるので、上部電極６０には第二方向Ｄ２２に延びる複数の導線２２０を含む第二方向平行帯２２が形成されるのに対して、下部電極８０には第一方向Ｄ１２に延びる複数の導線４１０を含む第一方向平行帯４１が形成されている。また、上部電極６０には第一方向Ｄ１２に延びる導線２１０が形成されるのに対して、下部電極８０には第二方向Ｄ２２に延びる導線４２０が形成されている。
【００４５】
図２５は、第一電極列７０が形成された状態の上部電極６０の部分拡大平面図である。図２６は、断線部ＣＬを太い実線で示した上部電極６０の平面図である。
第一電極列７０は、第一方向Ｄ１２と第二方向Ｄ２との両方に交差する方向に配列された四角形の複数の電極片７１を有する。各電極片７１は、上部電極６０上に想定した四角形Ｆ２の辺（端縁線）に交差する各導線パターン２１０，２２０の一部が選択的に断線されることによって形成されている。
四角形Ｆ２は、上部電極６０が形成される基板上の点Ｐｓ１と、この一点Ｐｓ１から第一方向Ｄ１２及び第二方向Ｄ２２の両方に交差する第三方向Ｄ３に離間する基板上の他の点Ｐｓ２とを通る。この四角形Ｆ２の辺と導線２１０との交差点が断線されるとともに、点Ｐｓ１及び点Ｐｓ２のそれぞれの近傍部分（非断線部ＮＣ）を除いて、四角形Ｆ２の辺と導線２２０との交差点も断線される。これにより、四角形Ｆ２の内部に電極片７１が区画されるとともに、各電極片７１が非断線部ＮＣによって導通した第一電極列７０が形成される。非断線部ＮＣは、導線２２０の一部を含んで構成されている。
【００４６】
隣り合う電極片７１同士は、第三方向Ｄ３と直交する第四方向Ｄ４における位置が寸法Ｐ３だけ相違する。その結果、電極片７１の配列方向は、第三方向Ｄ３と、第四方向Ｄ４の寸法Ｐ３とが合成された第五方向Ｄ５となる。
なお、隣り合う第一電極列７０，７０の間には、他の導線とは導通しておらず電気的に孤立したダミー電極６５が形成されている。
【００４７】
図２７は、第二電極列９０が形成された状態の下部電極８０の部分拡大平面図である。図２８は、断線部ＣＬを太い破線で示した下部電極８０の平面図である。
第二電極列９０は、第一方向Ｄ１２、第二方向Ｄ２２、第三方向Ｄ３、及び第四方向Ｄ４のいずれにも交差する方向に配列された四角形の複数の第二電極片９１を有する。各第二電極片９１は、配列方向以外は上述の電極片７１と同様に形成される。すなわち、四角形Ｆ２は、基板上の点Ｐｓ１と、この一点Ｐｓ１から第一方向Ｄ１２、第二方向Ｄ２２、及び第三方向Ｄ３のいずれにも交差する第四方向Ｄ４に離間する基板上の他の点Ｐｓ２とを通る。四角形Ｆ２の辺と導線４２０との交差点が断線されるとともに、点Ｐｓ１及び点Ｐｓ２のそれぞれの近傍部分である非断線部ＮＣを除いて、四角形Ｆ２の辺と導線４１０との交差点も断線される。隣り合う電極片９１同士は、第三方向Ｄ３における位置が寸法Ｐ３だけ相違する。その結果、電極片９１の配列方向は、第四方向Ｄ４と、第三方向Ｄ３の寸法Ｐ３とが合成された第六方向Ｄ６となる。
【００４８】
図２９は、図２５の上部電極６０と図２７の下部電極８０とが重ねられた状態の透視平面図である。断線部ＣＬを太線で示している。上部電極６０と下部電極８０とは、第一電極列７０における電極片７１の配列方向（第五方向Ｄ５）と、第二電極列９０における電極片９１の配列方向（第六方向Ｄ６）とが直交するように、誘電層１３（図１）を介して重ねられる。このように上部電極６０と下部電極８０とが重ねられると、上部電極６０の第一方向間隙Ｓ１の位置に下部電極８０の導線４２０（図１４）が配置され、下部電極４０の第二方向間隙Ｓ２の位置に上部電極６０の導線２１０（図１３）が配置される。そして、第一電極列７０と第二電極列９０とは互いに重ならず、第一電極列３０の電極片３１及び第二電極列５０の電極片５１は、互いに重ならない状態でぎっしりと第一方向Ｄ１２及び第二方向Ｄ２２に配列される。上部電極６０における非断線部ＮＣと、下部電極８０における非断線部ＮＣとの交点近傍には、４つの電極片７１，７１，９１，９１がそれぞれの角を突き合わせるようにして配置されている。
本例においても、導線２１０，２２０，４１０，及び４２０の互いの交点以外には線の重なりが生じていない完全な格子模様が形成される。
【００４９】
図３０は、上記の第一、第二電極６０，８０を備えるタッチパネル１０１及びディスプレイ９の概略構成を示す平面図である。画像表示部９１のＸ方向に対して、第五方向Ｄ５は平行であり、第六方向Ｄ６は直交する。また、画像表示部９１のＹ方向に対して、第五方向Ｄ５は平行であり、第六方向Ｄ６は直交する。この構成から、タッチパネル１０１の座標の座標軸と、ディスプレイ９の座標のＸＹ座標軸とが一致するので、座標補正処理が必要となることなく、タッチ点の位置算出を容易に行える。
このとき、各導線の延出方向である第一方向Ｄ１及び第二方向Ｄ２は、画素電極の配列方向であるＸ方向及びＹ方向の両方に対して傾斜した角度を成す。これにより、タッチパネル１の金属細線と画素電極の構造の外形や内部構造などの形状をなす辺（エッジ）とが平行関係となったり平行に近い角度に近接することが回避されるので、干渉縞の発生を抑制できる。
【００５０】
図３１〜図３４を参照して、本発明の実施形態を説明するための抵抗膜方式タッチパネルの例について説明する。
図３１は、本発明の抵抗膜方式タッチパネルの一例の断面図を模式的に示す。タッチパネル１０２は、指先やペンなどによってタッチされる側に配置される第一電極としての上部電極３２０と、この上部電極３２０に重ねられて、画像表示装置としてのディスプレイ９（図９）側に配置される第二電極としての下部電極３４０とを備える。絶縁性の透明基板１２に形成された下部電極３４０と、可撓性の絶縁性透明フィルム１６に形成された上部電極３２０とは、下部電極３４０上に形成された平面視ドット状に点在する絶縁性のスペーサ１７を介在させた状態で、それぞれの四辺に沿って設けられた接着層ＡＤによって、貼り合わせられる。
【００５１】
図３２は、上部電極３２０の模式平面図である。上部電極３２０が形成される透明フィルム１６には、紙面の横方向である第二方向Ｄ２３に沿って平行に延びる複数の導線２２０（横線）と、これらの導線２２０に直交して第一方向Ｄ１３に沿って延びる複数の導線２１０（縦線）とが形成されている。ここで、図３２〜図３４では、理解の容易さのために導線の数を実際よりも少なく図示している。実際の導線数は、タッチパネルの実用的な位置検出精度が得られる本数に決められる。本例においても、前述した例とほぼ同様に、複数の導線２２０を含む第二方向平行帯２２が第一方向間隙Ｓ１を挟んで繰り返し形成されている。また、導線２１０を含む第一方向交差帯２１も、前述した第一方向交差帯２１と同様に形成されている。
【００５２】
上部電極３２０が形成される透明フィルムの第一方向Ｄ１３両端部には、一対の上部電極バスバー１９１，１９１が第一方向Ｄ２３にそれぞれ沿って延出するように形成されている。第一方向交差帯２１の導線２１０は、その両端でこれら上部電極バスバー１９１，１９１に接合され、導通している。バスバー１９１，１９１は、図示しない直流電源に接続され、バスバー１９１，１９１間には、例えば数Ｖの電圧が印加されるようになっている。
なお、バスバー１９１，１９１としては、金、銀、銅、ニッケルなどの金属あるいはカーボンなどの導電性を有するペーストを用いることができる。バスバー１９１，１９１の形成方法としては、スクリーン印刷、オフセット印刷、グラビア印刷、フレキソ印刷などの印刷法、フォトレジスト法、刷毛塗法などがある。
【００５３】
本例の導線パターンには、上述の各例のように断線部が形成されておらず、本例の導線パターンは複数の電極片、あるいはこれを連ねた電極列には区画されていない。すなわち、互いに格子状に交差する導線２１０，２２０は互いに導通して一つの電極を形成する。
【００５４】
図３３は、下部電極３４０の模式平面図である。下部電極３４０の導線パターンは、図３２の上部電極３２０の導線パターンと同一であり、図３３は図３２に対して９０度回転させた状態に示されている。
このため、下部電極３４０には第一方向Ｄ１３に延びる第一方向平行帯４１と、第二方向Ｄ２３に延びる第二方向交差帯４２とがそれぞれ形成されている。
【００５５】
下部電極３４０が形成される透明基板の第二方向Ｄ２３両端部には、一対の下部電極バスバー１９２，１９２が第一方向Ｄ１３にそれぞれ沿って延出するように形成されている。第二方向交差帯４２の導線４２０は、その両端でこれら下部電極バスバー１９２，１９２に接合され、導通している。これら下部電極バスバー１９２，１９２は、上部電極バスバー１９１，１９１と同様に形成され、図示しない直流電源によって例えば数Ｖの電圧が印加される。
【００５６】
また、図３３には図示を省略したが、下部電極３４０には、多数の絶縁性のスペーサー１７（図３１）がドット状に点在するように形成される。これらのスペーサー１７は、上部電極３２０に向かって突出しており、これによって上部電極３２０と下部電極３４０とが接触せずに、上部電極３２０と下部電極３４０との間に空間が形成される。なお、スペーサー１７は、上部電極３２０に形成されていてもよい。
スペーサー１７は、メラミンアクリレート樹脂、ウレタンアクリレート樹脂、エポキシアクリレート樹脂、メタアクリルアクリレート樹脂、アクリルアクリレート樹脂などのアクリレート樹脂、ポリビニールアルコール樹脂などの透明な光硬化型樹脂をフォトプロセスで微細なドット状に形成して得ることができる。また、印刷法により微細なドットを多数形成してスペーサーとすることもできる。
【００５７】
図３４は、図３２の上部電極３２０と図３３の下部電極３４０とが重ねられた状態の透視平面図である。なお、本図において、スペーサー１７及び接着層ＡＤの図示は省略している。このように上部電極３２０と下部電極３４０とが重ねられると、上部電極３２０の第一方向間隙Ｓ１の位置に下部電極３４０の第二方向交差帯４２（図３３）が配置され、下部電極３４０の第二方向間隙Ｓ２の位置に上部電極３２０の第一方向交差帯２１（図３２）が配置される。これにより、導線２１０，２２０，４１０，及び４２０の互いの交点以外には線の重なりが生じていない完全な格子模様が形成される。
【００５８】
このような構成のタッチパネル１０２では、指やペンなどにより、上部電極３２０の裏面（上部電極３２０が形成される透明フィルム１２のタッチ側の面）をタッチすると、スペーサー１７がない位置（タッチ位置）で上部電極３２０と下部電極３４０とが接触して導通する。この際、上部電極３２０のバスバー１９１，１９１間への電圧印加時における第一方向Ｄ１３の電圧勾配に基づいてタッチ位置のＸ座標が測定されるとともに、下部電極３４０のバスバー１９２，１９２間への電圧印加時における第二方向Ｄ２３の電圧勾配とに基づいてタッチ位置のＹ座標が測定される。具体的に、Ｘ座標測定時には下部電極３４０には電圧印加されず、タッチ位置での接触導通による上部電極バスバー１９１，１９１間の印加電圧の分圧が下部電極３４０のバスバー１９２，１９２間の電位として出力される。また、Ｙ座標測定時には上部電極３２０には電圧印加されず、タッチ位置での接触導通による下部電極バスバー１９２，１９２間の印加電圧の分圧が上部電極３２０のバスバー１９１，１９１間の電位として出力される。これら分圧とバスバー間の距離、及びバスバー間の印加電圧とから、タッチ位置のＸＹ座標がそれぞれ測定される。
本例においても、図１５〜図２２を参照して説明した例と同様に、タッチパネルの座標とディスプレイの座標とが一致するので、座標変換を不要にできる。
【００５９】
なお、上部電極３２０の導線パターン形成領域に形成されたすべての導線２１０の合計の電気抵抗、及び下部電極３４０の導線パターン形成領域に形成されたすべての導線４２０の合計の電気抵抗はそれぞれ、１００Ωから５ｋΩの範囲にあることが好ましく、２００Ωから２ｋΩであることが特に好ましい。
また、上部電極バスバー１９１，１９１、及び下部電極バスバー１９２，１９２のそれぞれは、導線パターン形成領域であるタッチセンサー領域の外側にあって、図示しないディスプレイ窓枠部などによって操作者からは視認されない位置に隠されている。このため、バスバー１９１，１９２の線幅は導線よりも十分に大きくできるので、タッチ位置検出時のバスバーによる電位降下は無視できる。
【００６０】
本例では、４線式の抵抗膜方式によるタッチパネル１０２を示したが、この他、５線式、６線式、７線式、８線式などの抵抗膜方式にも本発明は適用可能である。
【００６１】
以上で説明した上部電極及び下部電極のそれぞれの導線パターンを形成することのできる導電性材料と電極形成方法について以下の[1]で説明する。
[1]  上部電極及び下部電極はそれぞれ、導電性細線による電極であり、低抵抗である導電性の高い金属又は合金を用いることが好ましい。このような金属としては、例えば、銅、銀、金、白金、パラジウム、ニッケル、錫、アルミニウム、コバルト、ロジウム、イリジウム、鉄、ルテニウム、オスミウム、マンガン、モリブデン、タングステン、ニオブ、タンテル、チタン、ビスマス、アンチモン、鉛などをあげることができる。これらの中で導電性に優れる点で、銅、銀、金、白金、パラジウム、ニッケル、錫、アルミニウム、及びこれらとの合金が好ましい。ここで、上部電極及び下部電極には、特に比抵抗が類似の材料が用いられることが好ましい。上部電極及び下部電極は、基本的には同じ導電材料により形成されるが、異なる導電性材料により形成されていてもよい。
【００６２】
これらの金属あるいは合金での電極形成には、以下の形態[2]〜[4]の利用ができる。
[2]  金属箔、あるいは薄膜としての利用。薄膜として利用するには、まず、基材上に上記の金属あるいは合金を、真空蒸着法、スパッターリング法、イオンプレーティング法などによって、あるいは鍍金法や金属箔の貼り合わせなどで金属薄膜を形成する。次いでこの金属薄膜に以下のパターニングを施して電極を形成する。上記パターンをフォトエッチングにより形成する場合、金属薄膜上にフォトレジスト膜を形成しフォトマスクを用いて露光し、現像液で現像することによりレジスト膜のパターンを形成する。これをエッチング液によりエッチングし、レジスト膜を剥離除去することにより細線金属線からなるパターンを形成する。あるいは、印刷レジストにより形成する場合は、金属薄膜上にスクリーン印刷、グラビア印刷、インクジェット等の方法でレジスト膜のパターンを印刷し、エッチング液により金属薄膜におけるレジスト被覆部以外をエッチングし、レジスト膜を剥離することにより金属細線のパターンを形成する。 
【００６３】
[3]  導電性のナノ粒子を含むインク（又はペースト）によって上記のパターンを印刷する方法である。導電性ナノ粒子は、上記の金属の微粒子の他にカーボンを用いてもよい。導電性ナノ粒子は金、銀、パラジウム、白金、銅、カーボン、又はそれらの混合物を含む粒子が好ましい。ナノ粒子の平均粒径は２μ以下、好ましくは200から500ｎｍであり、従来のミクロン粒子よりも粒径が小さいものがパターンを形成する上で好ましい。パターン印刷には、スクリーン印刷法又はグラビア印刷法が用いられる。
インク（又はペースト）が含む導電材料は、金属粒子でなく、導電性繊維であってもよい。本件においては、導電性繊維には、金属ワイヤー、ナノワイヤーと呼ばれる繊維状の物質、中空構造のチューブ、ナノチューブを含めて呼称する。金属ナノワイヤーの平均短軸長さ（「平均短軸径」、「平均直径」と称することがある）としては、１００ｎｍ以下が好ましく、１ｎｍ〜５０ｎｍがより好ましく、１０ｎｍ〜４０ｎｍが更に好ましく、１５ｎｍ〜３５ｎｍが特に好ましい。導電性繊維を用いて導電層を形成する場合には、例えば、特開2009-215594、特開2009-242880、特開2009-299162、特開2010-84173、特開2010-87105、特開2010-86714に開示の技術を組み合わせて形成することができる。
【００６４】
[4]  写真に用いられるハロゲン化銀写真感光材料を用い、この材料にパターン露光を施した後に現像、定着処理をし、現像銀による導電性の細線パターンを得る方法である。本発明における導電性の細線パターンを得る方法には、感光材料と現像処理の形態によって、次の３通りの形態が含まれる。
(a)  物理現像核を含まない感光性ハロゲン化銀黒白感光材料を化学現像又は熱現像して金属銀部を該感光材料上に形成させる態様。
(b)  物理現像核をハロゲン化銀乳剤層中に含む感光性ハロゲン化銀黒白感光材料を溶解物理現像して金属銀部を該感光材料上に形成させる態様。
(c)  物理現像核を含まない感光性ハロゲン化銀黒白感光材料と、物理現像核を含む非感光性層を有する受像シートを重ね合わせて拡散転写現像して金属銀部を非感光性受像シート上に形成させる態様。
【００６５】
上記(a)の態様は、一体型黒白現像タイプであり、感光材料上に光透過性導電膜等の透光性導電性膜が形成される。得られる現像銀は化学現像銀又は熱現像銀であり、高比表面のフィラメントである点で後続するめっき又は物理現像過程で活性が高い。
上記(b)の態様は、露光部では、物理現像核近縁のハロゲン化銀粒子が溶解されて現像核上に沈積することによって感光材料上に光透過性導電性膜等の透光性導電性膜が形成される。これも一体型黒白現像タイプである。現像作用が、物理現像核上への析出であるので高活性であるが、現像銀は比表面の小さい球形である。
上記(c)の態様は、未露光部においてハロゲン化銀粒子が溶解されて拡散して受像シート上の現像核上に沈積することによって受像シート上に光透過性導電性膜等の透光性導電性膜が形成される。いわゆるセパレートタイプであって、受像シートを感光材料から剥離して用いる態様である。
【００６６】
いずれの態様もネガ型現像処理及び反転現像処理のいずれの現像を選択することもできる（拡散転写方式の場合は、感光材料としてオートポジ型感光材料を用いることによってネガ型現像処理が可能となる）。
【００６７】
ここでいう化学現像、熱現像、溶解物理現像、拡散転写現像は、当業界で通常用いられている用語どおりの意味であり、写真化学の一般教科書、例えば菊地真一著「写真化学」（共立出版社、１９５５年刊行）、Ｃ．Ｅ．Ｋ．Ｍｅｅｓ編「Ｔｈｅ  Ｔｈｅｏｒｙ  ｏｆ  Ｐｈｏｔｏｇｒａｐｈｉｃ  Ｐｒｏｃｅｓｓｅｓ，  ４ｔｈ  ｅｄ．」（Ｍｃｍｉｌｌａｎ社、１９７７年刊行）に解説されている。本件は液処理に係る発明であるが、その他の現像方式として熱現像方式を適用する技術も参考にすることができる。例えば、特開２００４−１８４６９３号、同２００４−３３４０７７号、同２００５−０１０７５２号の各公報、特願２００４−２４４０８０号、同２００４−０８５６５５号の各明細書に記載された技術を適用することができる。
また、本発明に用いる材料と導電性パターンの製法については、電磁波シールド膜の発明である特開２００６−３５２０７３号の記載と技術、静電容量方式のタッチパネルの発明である特願２００９−２６５４６７号の記載と技術を用いることができる。
【００６８】
なお、上部電極及び下部電極にそれぞれ使用される導電性材料が光透過性を有している必要はないが、光透過性のある導電性材料もまた、上部電極及び下部電極のそれぞれに使用可能である。光透過性のある導電性材料としては、導電性ポリマーや一部の金属酸化物を挙げることができるが耐久性、耐候性の点で金属酸化物が用いられる。透明金属酸化物としては、インジウムスズ酸化物（ＩＴＯ）、アンチモンドープスズ酸化物（ＡＴＯ）、酸化スズ、アルミニウムドープの亜鉛酸化物（ＺｎＯ：Ａｌ）、インジウム亜鉛酸化物（Ｉｎ2Ｏ3−ＺｎＯ（ＩＺＯ））などをあげることができる。本発明では、下部電極を形成する電極片として上記の透明酸化物を用いることができ、上記の酸化物のうち、抵抗値、透明性、膜の形成のしやすさの観点から、ＩＴＯやＩＺＯが好ましく用いられる。ＩＴＯやＩＺＯの薄膜の形成には、スパッタ法、電子ビーム法やイオンプレーティング法などが用いられる。
上部電極及び下部電極には、上記[1]以下に例示したすべての材料を使用できる。
【００６９】
ここで、電極形成材料として、金属箔、あるいは薄膜としての利用（上記[2]）の場合の形成方法を図３５を参照しながら説明する。図３５は、上部電極（図４、図１７、図２５等）の形成方法を示すが、下部電極も上部電極と同様に形成される。
図３５の（ａ）は絶縁層を兼ねる透明基体１６０（図１の透明基板１１又は透明基板１２に相当）であり、たとえば約１００μｍのＰＥＴフィルムである。このフィルムの表面を清浄化し、次いでこのフィルムの表面に、金属あるいは合金の薄層２００を設ける（図３５の（ｂ））。金属は上記[2]に記載した材料を用いることができるが、銀、銅、アルミニウムあるいはこれらの合金が好ましく用いられる。薄層の形成方法にはスパッタ法などが用いられるが、他の方法であってもよい。形成した金属の薄層の厚みは、所望の抵抗値により適宜調整することができるが、０．１μｍ以上３μｍ以下が好ましく、０．２μｍ以上１μｍ以下がより好ましい。
次に上記で形成した金属薄膜２００上にフォトレジスト膜を形成しフォトマスクを用いて露光し、現像液で現像することによりレジスト膜のパターンを形成する。これをエッチング液によりエッチングし、レジスト膜を剥離除去することにより金属細線からなる導線パターン２０１を形成する（図３５の（ｃ））。このようなフォトリソグラフィー及びエッチングによるパターニング工程により、図４、図１７、図２５にそれぞれ示したような、断線部ＣＬを有する上部電極の導線パターンが形成される。下部電極の導線パターンも、上部電極の導線パターンと同様に形成される。
【００７０】
次に、上記で形成された導線パターンに設けられる被覆層の形成について述べる。なお、この被覆層は形成されていなくてもよい。この被覆層を黒化層と呼ぶ。黒化層は、金属あるいは合金の金属光沢を目立たなくする視覚的機能と、金属の防錆、マイグレーション防止による耐久性向上の機能を持つ。この黒化層(被覆層)の材料については以下で別途説明する。黒化層(被覆層)の厚みは、５μｍ以下が好ましく、３μｍ以下がより好ましく、０．２μｍ以上２μｍ以下が特に好ましい。
図３５の（ｄ）のように、導線パターン２０１及び透明基体１６０表面の全体を被覆する黒化層１７０を形成した後、この黒化層１７０の電極細線を被覆していないパターン形成領域上の黒化層部分を除去し、導線パターン２０１のみを被覆する黒化層１７１を形成する（図３５の（ｅ））。これにより、視認性、耐久性に優れた導線パターン電極を形成することができる
【００７１】
次に上記の黒化層(被覆層)の形成材料と形成方法について説明する。黒色層の好適な積層方法の例としては、メッキ処理とケミカルエッチング法を挙げることができる。 
メッキ処理としては公知の黒色メッキと呼ばれるものであれば何でも使用して良く、黒色ｎｉメッキ、黒色Ｃｒメッキ、黒色Ｓｎ−ｎｉ合金メッキ、Ｓｎ−ｎｉ−Ｃｕ合金メッキ、黒色亜鉛クロメート処理等が例として挙げられる。具体的には、日本化学産業（株）製の黒色メッキ浴（商品名、ニッカブラック、Ｓｎ−ｎｉ合金系）、（株）金属化学工業製の黒色メッキ浴（商品名、エボニ−クロム８５シリ−ズ、Ｃｒ系）、ディップソール（株）性クロメート剤（商品名、ＺＢ−５４１、亜鉛メッキ黒色クロメート剤）を使用することができる。メッキ法としては無電解メッキ、電解メッキのどちらの方法でも良く、緩やかな条件であっても高速メッキであっても良い。メッキ厚みは黒色として認知できれば厚みは限定されないが、通常のメッキ厚みは１μｍ〜５μｍが好適である。 
【００７２】
導電性金属部の一部を酸化処理若しくは硫化処理して黒色部を形成することもできる。例えば導電性金属部が銅である場合、銅表面の黒化処理剤の例としては、メルテックス（株）製、商品名エンプレートＭＢ４３８Ａ，Ｂ、三菱瓦斯化学（株）製、商品名ｎＰＥ−９００、メック（株）製、商品名メックエッチボンドＢＯ−７７７０Ｖ、アイソレ−ト化学研究所製、商品名コパ−ブラックＣｕＯ、同ＣｕＳ、セレン系のコパ− ブラックｎｏ．６５等を使用することができる。上記の他には例えば、硫化物を処理して硫化水素（Ｈ 2Ｓ）を発生させ、銅の表面を硫化銅（ＣｕＳ）として黒化することももちろん可能である。これらの処理は黒色として認知できれば厚みは限定されないが、通常３μｍ以下が好ましく、０．２μｍ〜２μｍが更に好ましい。
【００７３】
導電性のナノ粒子を含むインク（又はペースト）を用いる場合（上[3]）には、絶縁層を兼ねる透明基体層に、上記のパターンを直接印刷することができる。
【００７４】
次に、電極形成材料として、写真に用いられるハロゲン化銀写真感光材料を用いる場合（上記の[4]）について図３６を用いて説明する。図３６は、上部電極（図４、図１７、図２５等）の形成方法を示すが、下部電極も上部電極と同様に形成される。
なお、本発明に用いるハロゲン化銀写真感光材料については、現像銀による細線パターンを用いた電磁波シールド膜の発明である特開２００６−３５２０７３号に詳細に説明されている。
図３６（ａ）は絶縁層を兼ねる透明基体１６０であり、たとえば約１００μｍのＰＥＴフィルムである。このフィルムの表面を清浄化し、次いでこのフィルムの表面に、ハロゲン化銀写真感光材料の薄層２５０を設ける（図３６の（ｂ））。ハロゲン化銀写真感光材料には、光センサーとしての特性に優れるハロゲン化銀、ゼラチンなどのバインダー、塗布助剤や感度調整用の各種添加剤が含まれる。塗布銀量（銀塩の塗布量）は、銀に換算して１〜３０ｇ／ｍ2が好ましく、１〜２５ｇ／ｍ2がより好ましく、５〜２０ｇ／ｍ2が更に好ましい。塗布銀量を上記範囲とすることで、露光、現像処理後の導電シートが所望の表面抵抗を得ることができる。薄膜の形成は、写真材料の製造に用いられる多層塗布機を用いることが好ましい。
【００７５】
次に上記のハロゲン化銀写真感光材料の薄層２５０に導電性の細線を形成するためにパターン状の露光を施す。図３６（ｃ）では露光により感光核が生成された領域を２５１で示した。この露光済みのフィルムに現像定着処理を施した後のフィルムを図３６（ｄ）で表した。２５２は現像により感光核周辺に形成された銀の集合体を表し、２５３は感光しなかったハロゲン化銀写真感光材料部分に含まれる銀塩などが定着処理により層外に除かれ透明な膜となった状態を表している。このようにして現像銀による細線パターンを形成することができる。
【００７６】
以上説明したように、本明細書には、
第一方向と、前記第一方向に交差する第二方向とのうち第二方向に沿って互いに平行に延びる複数の導線が配置された第二方向平行帯が前記第一方向の第一方向間隙を挟んで前記第一方向に繰り返し形成され、かつ前記第一方向に沿って延びて前記第二方向平行帯に交差する導線が配置された第一方向交差帯が前記第二方向に繰り返し形成された第一電極と、
前記第一方向に沿って互いに平行に延びる複数の導線が配置された第一方向平行帯が前記第二方向の第二方向間隙を挟んで前記第二方向に繰り返し形成され、かつ前記第二方向に沿って延びて前記第一方向平行帯に交差する導線が配置された第二方向交差帯が前記第一方向に繰り返し形成された第二電極と、を備え、
前記第一方向間隙の位置に前記第二方向交差帯が対応し、前記第二方向間隙の位置に前記第一方向交差帯が対応するように、前記第一電極と前記第二電極とが互いに重ねられることを特徴とするタッチパネルが開示されている。
【００７７】
このタッチパネルによれば、第一電極と第二電極とを重ね合わせる際の誤差や、導線の形状誤差に対する許容度が大きく、重ね合わせが少々ずれていたり導線の形状にバラツキがあったとしても線太りや干渉縞が生じにくいので、導線の格子形状に違和感を感じない新規な導線パターンを歩留まり良く、安価に得られる。また、導線の間隔（ピッチ）を狭くしても線太りや干渉縞が生じにくいことから、導線の配置密度を高くして接触の検知感度を向上させることが可能となる。
なお、導線パターンとして低抵抗の金属細線を採用し得ることで良好な応答性が得られるため、大画面や高精細のディスプレイに対応するタッチパネルを提供できる。
【００７８】
また、本明細書に開示されたタッチパネルにおいては、
前記第一電極及び前記第二電極を透視したとき、
前記第一方向平行帯及び前記第一方向交差帯のそれぞれに含まれる各導線は、互いに一定間隔で並び、
前記第二方向平行帯及び前記第二方向交差帯のそれぞれに含まれる各導線は、互いに一定間隔で並び、
前記第一方向平行帯、前記第二方向平行帯、前記第一方向交差帯、及び前記第二方向交差帯により、均一な格子模様が形成される。
【００７９】
このタッチパネルによれば、導線パターンが形成される透明基体上の面内導線分布が均一化されるので、導線パターンを極力視認されないようにできる。
【００８０】
また、本明細書に開示されたタッチパネルにおいては、
前記第一方向平行帯を構成する導線及び前記第二方向平行帯を構成する導線のそれぞれの数は３本以上であり、
前記第一方向交差帯を構成する導線及び前記第二方向交差帯を構成する導線のそれぞれの数は１本以上１０本以下であって、前記第一方向平行帯を構成する導線及び前記第二方向平行帯を構成する導線のそれぞれの数よりも少ない。
【００８１】
このタッチパネルによれば、導線の上記本数から、第1、第２電極の重ね合わせによる格子模様を形成し易い。また、第１、第２電極のそれぞれの導線パターンを複数の電極に断線区画する場合には、導線の上記本数から、複数の平行導線がこれら平行導線を横断する導線により導通された一纏まりの領域を形成し易いので、電極を形成し易い。
【００８２】
また、本明細書に開示されたタッチパネルにおいては、
前記第一方向平行帯及び前記第二方向平行帯のそれぞれに含まれる複数の前記導線は、前記第一方向交差帯及び前記第二方向交差帯のそれぞれのピッチよりも小さいピッチで密に配置される。
このタッチパネルによれば、密に配置された導線群をそれよりも疎に配置された導線により互いに導通することにより、第１、第２電極の重ねあわせによる格子模様を形成し易いとともに、電極を区画形成する場合に一纏まりの領域としての電極片を形成し易い。ここで、密な配置の導線群が小さいピッチで配置されていることで、接触検知の感度を高くできるとともに、電極片同士を導通する導線の配置が疎であることにより、第一電極列と第二電極列とを透視状態で重ならないように配列するパターン設計が煩雑化しない。
【００８３】
また、本明細書に開示されたタッチパネルにおいては、
前記第一方向平行帯及び前記第二方向平行帯のそれぞれに含まれる複数の前記導線のピッチは、１５０μｍ以上、４００μｍ以下であり、
前記第一方向交差帯及び前記第二方向交差帯のそれぞれのピッチは、２０００μｍ以上、１００００μｍ以下である。
【００８４】
このタッチパネルによれば、上記ピッチから、第1、第２電極の重ね合わせによる格子模様を形成し易い。また、第１、第２電極のそれぞれの導線パターンを複数の電極に断線区画する場合には、電極を形成し易い。
【００８５】
また、本明細書に開示されたタッチパネルにおいては、
前記第一電極の前記第一方向交差帯は、前記第二電極にそれぞれ形成された前記第一方向平行帯及び前記第二方向間隙の合計の幅と等しいピッチで配列され、
前記第二電極の前記第二方向交差帯は、前記第一電極にそれぞれ形成された前記第二方向平行帯及び前記第一方向間隙の合計の幅と等しいピッチで配列される。
【００８６】
このタッチパネルによれば、線太りや干渉縞を防止でき、導線の格子形状に違和感を感じない新規な導線パターンを歩留まり良く、安価に得られる。
【００８７】
また、本明細書に開示されたタッチパネルにおいては、
前記第一方向平行帯及び前記第二方向平行帯をそれぞれ構成する導線の幅は、２μｍ以上、１０μｍ以下であり、
前記第一方向平行帯及び前記第二方向平行帯のそれぞれにおける前記導線のピッチは、２５０μｍ以上、３５０μｍ以下である。
【００８８】
このタッチパネルによれば、上記の線幅及びピッチより、視認性（導線やモアレが視認され難い）と感度との両方がバランス良く得られる。
【００８９】
また、本明細書に開示されたタッチパネルにおいては、
前記第一電極は、当該第一電極上に想定した閉図形の端縁線に交差する前記各導線の部分が選択的に断線されることによって区画された電極片が配列された第一電極列を有し、
前記第二電極は、当該第二電極上に想定した閉図形の端縁線に交差する前記各導線の一部が選択的に断線されることによって区画された電極片が前記第一電極列の配列方向と交差する方向に配列された第二電極列を有し、
前記第一電極列及び前記第二電極列は、互いに交差するそれぞれの一定方向に繰り返し配置され、
前記第一電極と前記第二電極とを透視したときに、前記各電極片が互いに重ならない状態に配列される。
【００９０】
このタッチパネルによれば、第一、第二電極のそれぞれの導線パターンを適切な位置で断線することにより、第一電極列及び第二電極列がそれぞれ形成され、第一、第二電極を重ねた際に交差する第一、第二電極列によってタッチ位置座標が形成される。第一、第二電極が重ねられた際の透視状態において電極片同士が重ならずにぎっしりと並ぶので、接触検知の感度を高感度にできる。また、電極片の形成と同時にダミー電極も形成されるため、大画面や高精細なディスプレイに対応するタッチパネルの高周波駆動時の短絡を防止できる。
【００９１】
また、本明細書に開示されたタッチパネルにおいては、
前記第一電極に含まれる複数の前記導線のパターンと、前記第二電極に含まれる複数の前記導線のパターンとは、互いに鏡像の関係にある。
このタッチパネルによれば、鏡像であることで、導線のパターン設計のコストを削減できる。
【００９２】
また、本明細書に開示されたタッチパネルにおいては、
前記第一電極列の前記各電極片は、前記第一方向交差帯上の二箇所の前記第一方向間隙の位置を通る閉図形の端縁線に交差する前記第二方向平行帯の部分が断線されることによって前記閉図形の内部に形成されるとともに、前記第一方向交差帯の導線により互いに導通された状態で前記第一方向に配列され、
前記第二電極列の前記各電極片は、前記第二方向交差帯上の二箇所の前記第二方向間隙の位置を通る閉図形の端縁線に交差する前記第一方向平行帯の部分が断線されることによって前記閉図形の内部に形成されるとともに、前記第二方向交差帯の導線により互いに導通された状態で前記第二方向に配列される。
このタッチパネルによれば、第一、第二電極を重ねた際に、格子模様に違和感を感じない新規な電極列配置パターンが得られる。
【００９３】
また、本明細書に開示されたタッチパネルにおいては、
前記第一電極列の前記各電極片は、前記第一電極上の一点とこの一点から前記第一方向及び前記第二方向の両方に交差する第三方向に離間する前記第一電極上の他の点とを通る閉図形の端縁線に交差する前記第一方向交差帯の部分、及び前記閉図形の端縁線に交差する前記第二方向平行帯における前記一点及び前記他の点のそれぞれの近傍の非断線部を除いた部分が断線されることによって前記閉図形の内部に形成されるとともに、前記非断線部を介して互いに導通された状態で配列され、
前記第二電極列の前記各電極片は、前記第二電極上の一点とこの一点から前記第一方向、前記第二方向、及び前記第三方向のいずれにも交差する第四方向に離間する前記第二電極上の他の点とを通る閉図形の端縁線に交差する前記第二方向交差帯の部分、及び前記閉図形の端縁線に交差する前記第一方向平行帯における前記一点及び前記他の点のそれぞれの近傍の非断線部を除いた部分が断線されることによって前記閉図形の内部に形成されるとともに、前記非断線部を介して互いに導通された状態で配列される。
このタッチパネルによれば、第一、第二電極を重ねた際に、格子模様に違和感を感じない新規な電極列配置パターンが得られる。
【００９４】
また、本明細書に開示されたタッチパネルにおいては、
前記第一方向に沿って延びる導線及び前記第二方向に沿って延びる導線はそれぞれ、当該タッチパネルに積層されるディスプレイが有する画素の配列方向に対して傾斜する。
このタッチパネルによれば、導線パターンを構成する各導線と画素のエッジ等との光干渉が生じ難いので、干渉縞（モアレ）の発生を防止できる。
【００９５】
また、本明細書に開示されたタッチパネルにおいては、
当該タッチパネルに積層される画像表示装置が有する画素の配列方向に対して、前記第一方向は平行又は直交に、前記第二方向は直交又は平行に、それぞれ設定される。
このタッチパネルによれば、タッチ点の位置座標と画像表示装置のＸＹ座標とが、座標補正などを行うことなく一致するので、タッチ位置の算出処理を容易に行うことができる。
【００９６】
また、本明細書に開示されたタッチパネルにおいては、
前記閉図形の端縁線に交差し断線された前記各導線の部分の集合である断線部において前記端縁線に交差する方向の断線寸法、及び前記端縁線に交差する方向の断線位置の少なくとも一方は、前記端縁線に沿った方向においてランダムに変化する。
このタッチパネルによれば、断線部が直線状に形成される場合と比較して、導線パターンが規則性のあるムラとして視認され難くなる。すなわち、タッチパネルの搭載によるディスプレイの表示品位の低下を防止できる。
【００９７】
また、本明細書に開示されたタッチパネルにおいては、
前記電極片の区画に際して断線されない導線の部分を含んで構成される非断線部は、２本以上の導線により形成される。
このタッチパネルによれば、電極列を構成する各電極片が複数本の導線により導通されるので、複数の導線のうち一部の導線が使用時の焼損などによって断線しても、導通を確保できる。
【００９８】
また、本明細書に開示されたタッチパネルにおいては、
前記閉図形は、多角形である。
このタッチパネルによれば、電極片が多角形とされることで、第一、第二方向にそれぞれ延びる導線群から電極片を形成し易い。
【００９９】
また、本明細書には、
上記のタッチパネルと、
前記タッチパネルが積層されるディスプレイとを備える画像表示装置が開示されている。
この画像表示装置によれば、前述の構成のタッチパネルを備えることにより、前述と同様の作用及び効果を享受できる。
【０１００】
なお、本発明は、下記表１及び表２に記載の公開公報及び国際公開パンフレットの技術と適宜組合わせて使用することができる。「特開」、「号公報」、「号パンフレット」等の表記は省略する。
【０１０１】
【表１】
0005647864.tif 000002
【０１０２】
【表２】
0005647864.tif 000003
【符号の説明】
【０１０３】
ＡＤ      接着層
ＣＬ      断線部
Ｄ１      第一方向
Ｄ１２    第一方向
Ｄ１３    第一方向
Ｄ２      第二方向
Ｄ２２    第二方向
Ｄ２３    第二方向
Ｄ３      第三方向
Ｄ４      第四方向
Ｄ５      第五方向
Ｄ６      第六方向
Ｆ１      四角形
Ｆ２      四角形
Ｆ３      菱形
ＮＣ      非断線部
Ｐ１      ピッチ
Ｐ２      ピッチ
Ｐｓ１    点
Ｐｓ２    点
Ｓ１      第一方向間隙
Ｓ２      第二方向間隙
１〜３    タッチパネル
９        ディスプレイ
９Ａ      画像表示部
９Ｂ      額縁部
１１      透明基板
１２      透明基板
１３      誘電層
１３      誘電層
１４      粘着層
１５      透明カバー部材
１６      透明フィルム
１７      ドットスペーサー
１８      導線パターン形成領域
２０      上部電極（第一電極）
２１      第一方向交差帯
２２      第二方向平行帯
２５      補助細線
３０      下部電極（第二電極）
３０      第一電極列
３１      電極片
３５      ダミー電極
４０      下部電極（第二電極）
４１      第一方向平行帯
４２      第二方向交差帯
５０      第二電極列
５１      電極片
６０      上部電極（第一電極）
６５      ダミー電極
７０      第一電極列
７１      電極片
８０      下部電極（第二電極）
９０      第二電極列
９１      電極片
２１０    導線
２２０    導線
４１０    導線
４２０    導線
１００    タッチパネル
１０１    タッチパネル
１０２    タッチパネル
１２０    上部電極（第一電極）
１２１    第一方向交差帯
１３０    第一電極列
１３５    ダミー電極
１３１    電極片
１４０    下部電極（第二電極）
１４２    第二方向交差帯
１５０    第二電極列
１５１    電極片
１９１    上部電極バスバー
１９２    下部電極バスバー
３２０    上部電極（第一電極）
３４０    下部電極（第二電極）
【図１】
0005647864.tif 000004
【図２】
0005647864.tif 000005
【図３】
0005647864.tif 000006
【図４】
0005647864.tif 000007
【図５】
0005647864.tif 000008
【図６】
0005647864.tif 000009
【図７】
0005647864.tif 000010
【図８】
0005647864.tif 000011
【図９】
0005647864.tif 000012
【図１０】
0005647864.tif 000013
【図１１】
0005647864.tif 000014
【図１２】
0005647864.tif 000015
【図１３】
0005647864.tif 000016
【図１４】
0005647864.tif 000017
【図１５】
0005647864.tif 000018
【図１６】
0005647864.tif 000019
【図１７】
0005647864.tif 000020
【図１８】
0005647864.tif 000021
【図１９】
0005647864.tif 000022
【図２０】
0005647864.tif 000023
【図２１】
0005647864.tif 000024
【図２２】
0005647864.tif 000025
【図２３】
0005647864.tif 000026
【図２４】
0005647864.tif 000027
【図２５】
0005647864.tif 000028
【図２６】
0005647864.tif 000029
【図２７】
0005647864.tif 000030
【図２８】
0005647864.tif 000031
【図２９】
0005647864.tif 000032
【図３０】
0005647864.tif 000033
【図３１】
0005647864.tif 000034
【図３２】
0005647864.tif 000035
【図３３】
0005647864.tif 000036
【図３４】
0005647864.tif 000037
【図３５】
0005647864.tif 000038
【図３６】
0005647864.tif 000039